(57)【特許請求の範囲】
【請求項１】
一定長さ範囲を一単位として所要事項が繰返し表示されていてロール状に巻かれた帯状紙１ａを連続的に繰り出しながら、繰り出し方向先端部より両側辺からそれぞれ中央方向に向けて所定量折り重なる互いに重ならない状態の平行な帯状の折り重ね片１０，１１を順次形成することにより、前記帯状紙１ａを見かけ幅ｗ１の小さい折り重ね帯状紙１ｂに連続形成する工程と、
折り重ね帯状紙１ｂを繰り出し方向先端部より前記一単位毎に順次切断して方形の紙片１を形成する工程と、
前記紙片１を各折り重ね片１０，１１とほぼ直角に交差する方向に沿って折り畳むことにより所望の幅ｗ４とする工程と、
を含むことを特徴とする能書きの作成方法。
【請求項２】
前記折り重ね帯状紙１ｂを連続形成する工程において、各折り重ね片１０，１１を帯状紙１ａの一面側に折り重ねることを特徴とする、請求項１に記載の能書きの作成方法。
【請求項３】
前記折り重ね帯状紙１ｂを連続形成する工程において、一方の折り重ね片１０の幅ｗ２と他方の折り重ね片１１の幅ｗ３をほぼ等しくすることを特徴とする、請求項１又は２に記載の能書きの作成方法。
【発明の詳細な説明】
【０００１】
【発明の属する技術分野】
この発明は薬品等の効能や用途，成分，服用方法などを表示して当該薬品等とともに包装される能書きに関するものであり、具体的には、折り畳まれた状態で当該薬品とともに包装される能書きの作成方法に関するものである。
【０００２】
【従来の技術】
この種の能書きは、所要事項を表示した所定の幅と長さを有する長方形の紙片であり、当該紙片は短冊状になるようにその幅方向に沿うように折り畳まれている。
短冊状に折り畳まれた能書きは、さらにこれを松葉状等の形態に折り畳むか、あるいはこれを薬品が包装された瓶等へ被せた状態で、薬品とともに箱等へ包装される。
前述のような能書きを作成するには、一定長さを一単位として所要事項が繰返し表示されていてロール状に巻かれた所定幅の帯状紙を連続的に繰り出しながら、繰り出し方向先端部より前記一単位毎に順次切断して方形の紙片を形成し、この紙片を幅方向に沿って折り畳むことにより所望幅の短冊状に形成する。
【０００３】
能書きのサイズは、メーカー（包装される商品のメーカー）により異なっているとともに商品によっても異なっているが、近年は能書きに表示すべき事項（内容）が増大しているほか、活字サイズを大きくして読み易くすることも要請されており、このような要請に応えるためには能書きの表示面積の拡大、すなわち紙面の拡大が不可欠である。
従来能書きの紙面の拡大には、ロール状に巻かれた帯状紙（ロール紙）の幅を大きくする手段よりも、できるだけ能書き一単位の長さ（折り畳む前の紙片の長さ）を長くする手段によっていた。
その理由は、ロール紙の幅が大きくなると、一単位毎の紙片を幅方向に沿って折り畳んで短冊状に形成したときの短冊の長さが長くなり、短冊の長さが所定以上増大すると、商品とともに箱や瓶などへ詰める多数のラインの包装設備の大幅な改造や設備替えが必要になり、それらには多くの費用を要することによる。また、折り畳まれた短冊状の能書きの長さが増大すると、能書きを商品とともに包装する箱等のサイズの変更を余儀なくされることもあり、この場合ロール紙幅の変更による費用はさらに増大する。
【０００４】
【発明が解決しようとする課題】
しかしながら、能書きの一単位の紙片（折り畳み前の紙片）の長さを一定以上長くすると読み難くなるばかりでなく、短冊状に折り畳むのが困難ないし不可能になるので、紙面の増大には紙片の幅を大きくすることがやがて必要となる。
【０００５】
本発明はこのような要請に基いて提案されるものであり、その目的とするところは、包装設備の大幅な改造や設備替えをほとんど必要とすることなく（ほとんど費用をかけないで）、短冊状に折り畳まれる前の能書きの対の辺の間隔（幅）を現状（従来）のほぼ二倍程度まで増大させることにより、紙面の拡大を図ることができる能書きを提供することにある。
本発明の他の目的は、前述のような能書きを円滑に作成することができる能書きの作成方法を提供することにある。
本発明のさらに他の目的は、能書き一単位の紙片の長さを一定以上増大させることなく紙面の拡大を図ることができ、したがって、短冊状に折り畳むときの折り畳みを円滑に行うことができる能書きの作成方法を提供することにある。
【０００６】
【課題を解決するための手段】
本発明に係る能書きの作成方法は、前述の課題を解決するため以下のように構成したものである。
すなわち、請求項１に記載の能書きの作成方法は、
一定長さ範囲を一単位として所要事項が繰返し表示されていてロール状に巻かれた帯状紙１ａを連続的に繰り出しながら、繰り出し方向先端部より両側辺からそれぞれ中央方向に向けて所定量折り重なる互いに重ならない状態の平行な帯状の折り重ね片１０，１１を順次形成することにより、前記帯状紙１ａを見かけ幅ｗ１の小さい折り重ね帯状紙１ｂに連続形成する工程と、
折り重ね帯状紙１ｂを繰り出し方向先端部より前記一単位毎に順次切断して方形の紙片１を形成する工程と、
前記紙片１を各折り重ね片１０，１１とほぼ直角に交差する方向に沿って折り畳むことにより所望の幅ｗ４とする工程とを含むことを特徴としている。
【０００７】
請求項２に記載の能書きの作成方法は、請求項１の能書きの作成方法において、折り重ね帯状紙１ｂを連続形成する工程では、各折り重ね片１０，１１を帯状紙１ａの一面側に折り重ねることを特徴としている。
【０００８】
請求項３に記載の能書きの作成方法は、請求項１又は２の能書きの作成方法において、折り重ね帯状紙１ｂを連続形成する工程では、一方の折り重ね片１０の幅ｗ２と他方の折り重ね片１１の幅ｗ３とをほぼ等しく形成することを特徴としている。
【０００９】
【発明の実施の形態】
以下図面を参照しながら、本発明による能書きの実施形態を説明する。
第１実施形態
図１は第１実施形態の能書きの一部展開状態の斜視図、図２は図１の状態から短冊状に折り畳んだ状態の斜視図、図３は図２の能書きを包装用の瓶に被せた状態の斜視図である。
【００１０】
能書きを構成する薄い紙片１は上面に図示しない所要事項が記載されており、この紙片１は展開状態において例えば幅ｗ≒２１０ｍｍ，長さＬ≒２５４ｍｍの長方形である。紙片１には、幅ｗ方向の両側の各辺からそれぞれ中央方向に向けて所定量折り重なるように平行な帯状の折り重ね片１０，１１が形成され、各折り重ね片１０，１１は互いに重ならないようになっている。
この実施形態では、帯状の折り重ね片１０，１１が形成された状態の紙片１の見かけの幅ｗ１≒１２８ｍｍであり、帯状の各折り重ね片１０，１１は共に紙片１の上面側に折り重ねられており、それらの幅ｗ２，ｗ３はそれぞれほぼ等しくｗ２，ｗ３≒４１ｍｍに形成されている。
【００１１】
紙片１は、図１の状態から各折り重ね片１０，１１とほぼ直角に交差する方向に沿って折り畳むことにより、図２で示すように所望の幅ｗ４の短冊状の折り畳み能書きに形成される。
したがって、図２の状態から図１のように紙片１を長さ方向にのみ展開すると、折り畳みの回数と形態に応じた数のほぼ平行な谷折り状の折り目１２（実線）と山折り状の折り目１３（点線）がそれぞれ表れる。
【００１２】
この実施形態の能書きは、包装工程における図示しない包装設備により、図示しない包装箱等の大きさに応じて、小分け包装された薬品等の商品とともに図２の状態で包装箱等へ包装されるか、又は、図２の二点鎖線で示すように松葉状に折り重ねた状態で同様に包装される。あるいは、開口した包装箱が順次供給される部位へその開口部へ対応するように図２の能書きを垂直状態で順次供給し、商品が包装された瓶のキャップ側からその能書きを当該瓶とともに包装箱へ押し込む要領で同時に包装される。能書きが瓶とともに包装箱へ押し込まれると、能書きは最初松葉状に折れ曲がりはじめ、最終的には図３のように瓶２へ被さった状態になる。
【００１３】
第１実施形態の能書きによれば、第１に、図２のように短冊状に折り畳んだ包装直前の状態における長さ（図１の紙片１の見かけの幅ｗに相当）を現状までの（従来の）ものとほぼ同じに設定することにより、包装設備の大幅な改造や設備替えをほとんど必要としないで、短冊状に折り畳まれる前の能書きの対の辺の間隔（図１の幅ｗ）を増大させて紙面の拡大を図ることができる。
第２に、図２のように短冊状に折り畳んだ状態では、その長さ方向の両端部における紙の重なり枚数が、中央部又は中央寄り部分における紙の重なり枚数の倍になり、両端部分の腰が強くその中央部又は中央寄り部分の腰が弱くなるので、前述のように松葉状に折り重ねて商品とともに箱等へ包装する場合や、図３のように瓶２へ被せた状態で包装する場合の取扱いが非常に円滑になる。
【００１４】
第２実施形態
図４は本発明に係る能書きの第２実施形態を示す部分展開斜視図である。
第２実施形態の能書きは、紙片１の幅方向の両辺からそれぞれ中央方向に向けて上面に所定量折り重なるように平行な帯状の折り重ね片１０，１１が形成され、各折り重ね片１０，１１は互いに重ならないようになっているが、帯状の各折り重ね片１０，１１の幅ｗ２，ｗ３が異なっている。
この実施形態の能書きの他の構成は第１実施形態の能書きとほぼ同様である。
この実施形態の能書きは、帯状の各折り重ね辺１０，１１の幅ｗ２，ｗ３が異なっているが、その作用効果は第１実施形態のものとほとんど差がない。
【００１５】
第３実施形態
図５は本発明に係る能書きの第３実施形態を示す部分展開斜視図である。
第３実施形態の能書きは、紙片１の幅方向の両辺からそれぞれ中央方向に向けて所定量折り重なるように平行な帯状の折り重ね片１０，１１が形成され、各折り重ね片１０，１１は互いに重ならないようになっているが、一方の折り重ね片１０と他方の折り重ね片１１の折り重ね方向が逆になっている。
この実施形態の能書きの他の構成は第１実施形態の能書きとほぼ同様である。
この実施形態の能書きは、帯状の各折り重ね辺１０，１１の折り重ね方向が逆になっているが、その作用効果は第１実施形態のものとほぼ同様である。
【００１６】
その他の実施形態
本発明に係る能書きは、紙片の対の各片からの折り重ね片１０，１１が重なっていなければよく、折り重ね片１０，１１の自由端側の辺が接触又は近接していても差し支えない。このような状態であっても、仕上げ状態において折り重ね片１０，１１の接触部又は近接部の腰が他の部分よりも弱くなり、包装工程における取扱いは円滑になるからである。
対の両辺から中央方向に向かって所定量折り重ねて平行に折り重ね片１０，１１を形成した後、折り重ね片１０，１１と交差する方向に沿って紙片１を折り畳む際、その折り畳みの形態は前記実施形態のものに限定されることなく、例えばジグザグ状の折り畳み形態やその他の形態であっても実施することができる。
【００１７】
本発明に係る能書きは、紙片１の対の各片からの折り重ね片１０，１１が互いに重なっていないことが重要である。両折り重ね片１０，１１が重なっていると、その重なり部分の紙の重なり数が増大し、折り畳み機により短冊状に折り畳む際に折り畳み操作が円滑でなくなるおそれがある。また、仕上げ状態において折り重ね片１０，１１の重なり部（中央又は中央寄り位置）の腰が他の部分よりも強くなり、後の包装工程での取扱いが円滑でなくなるおそれがある。
【００１８】
作成方法の実施形態
図６及び図７を参照しながら本発明に係る能書きの作成方法の実施形態を説明する。
以下説明する方法の実施形態は、第１実施形態の能書きの作成方法である。
１ａは一定長さ範囲を一単位として所要事項が繰返し印刷されている帯状紙であり、この帯状紙１ａはリール３へロール状に巻かれている。
帯状紙１ａは後方のラインから引っ張られることにより、リール３からテンションローラ３０及び各ガイドローラ３１〜３３を経て折り重ね装置４の方向へ連続的に繰り出される。
【００１９】
折り重ね装置４は、帯状紙１ａの両側部（両耳部）の所定幅範囲を折り重ね方向の逆方向へ弱いテンションを与えるためのテンションガイド板４０と、帯状紙１ａの両側辺を徐々に折り重ね方向へ導くための折り重ねガイド板４１，４２と、プレスロール４３及びプレス受け台４４とを備えている。
テンションガイド板４０は、帯状紙１ａの両側部を下方へ押さえるように両側方に向かって先下がり傾斜しているので、連続的に繰り出される帯状紙１ａの両側部には、一旦折り重ね方向の逆方向（下方）へ適量曲げられるようにテンションが加えられる。
【００２０】
次いで帯状紙１ａの両側辺は、両側方から帯状紙１ａの中央方向に向けて先上がり状に傾斜している折り重ねガイド板４１，４１の外側面と、その下流側において同様に両側方から中央方向に向けて先上がり状に傾斜し、折り重ね方向へ徐々に傾斜度を深くした折り重ねガイド板４２，４２の内側面とにより、徐々に上面側へ折り重なる状態にガイドされる。
このように、両側部が側辺から中央方向上面へ向けて所定量折り重なる状態にガイドされた帯状紙１ａは、当該帯状紙１ａの繰り出し方向に沿って回転するプレスロール４３とプレス受け台４４とで挟まれ、帯状紙１ａの両側部にはそれぞれ中央方向に向けて所定量折り重なり、かつ互いに重ならない状態の平行な帯状の折り重ね片１０，１１が順次形成される。このようにして、帯状紙１ａはその幅ｗよりも前記各折り重ね片１０，１１の幅ｗ２，ｗ３に相当する量だけ見かけ幅ｗ１が小さくなった折り重ね帯状紙１ｂに連続形成される。
【００２１】
この実施形態において、折り重ね帯状紙１ｂを連続形成する際各折り重ね片１０，１１はともに帯状紙１ａの上面側に折り重ねられ、かつ、一方の折り重ね片１０と他方の折り重ね辺１１は、それらの幅ｗ２，ｗ３がほぼ等しくなるように形成される。
【００２２】
前述のように形成された折り重ね帯状紙１ｂは、前記プレスロール４３よりも下流側に設置された図示しないカッタにより、繰り出し方向先端部より前記所定事項が印刷されている一単位毎に順次切断され、図１のように両側部がほぼ均等に折り重ねられた方形の紙片１が形成される。
【００２３】
折り重ね帯状紙１ｂが一単位毎に切断された紙片１は、図示しない折り畳み機により各折り重ね片１０，１１とほぼ直角に交差する方向に沿って折り畳まれ、図２のような所望の幅ｗ４の短冊状の能書きが順次作成される。
【００２４】
この実施形態においては、帯状紙１ａの幅ｗ＝２１０ｍｍ，折り重ね片１０，１１幅ｗ２＝ｗ３≒４１ｍｍ，折り重ね帯状紙１ｂの見かけの幅ｗ１≒１２８ｍｍとなるように設計されている。
【００２５】
この実施形態の作成方法によれば、第１に、帯状紙１ａを能書き一単位に切断する前にその両側に折り重ね片１０，１１を形成するので、帯状紙１ａの繰り出し部とカッタとの間に簡単な折り重ね装置４を設置することにより、特に包装設備の改変を必要とせずに円滑かつ安価にこの発明に係る能書きを作成することができる。
第２に、幅の広い帯状紙１ａを使用して見かけ幅ｗ１の小さい折り畳み帯状紙１ｂを形成するので、能書き一単位の紙片の長さを一定以上増大させることなく紙面の拡大を図ることができ、したがって、短冊状に折り畳むときの折り畳みを円滑に行うことができる。
【００２６】
作成方法のその他の実施形態
帯状紙１ａの両側部へ連続的に折り重ね片１０，１１を形成して、見かけの幅ｗ１の小さい折り重ね帯状紙１ｂを製造する際に、各折り重ね片１０，１１の幅ｗ２，ｗ３は図４のように異なっていても、あるいは、折り重ね片１０と１１が逆の面に位置していても差し支えない。
また、両側の折り重ね片１０，１１はそれらの自由端部（先端部）が互いに重なっていなければ、近接又は接触していても差し支えない。
【００２７】
【発明の効果】
請求項１〜３の発明に係る能書きによれば、紙片１の対の各辺からそれぞれ中央方向に向けて所定量折り重なる互いに重ならない状態の平行な帯状の折り重ね片１０，１１を形成し、各折り重ね片１０，１１とほぼ直角に交差する方向に沿って折り畳んでいるので、短冊状に折り畳んだ包装直前の状態における長さ（図１の紙片１の見かけの幅ｗ１に相当）を従来のものとほぼ同じに設定することにより、包装設備の大幅な改造や設備替えをほとんど必要としないで、展開状態の紙片の幅を増大させて紙面の拡大を図ることができる。
また、短冊状に折り畳んだ状態では、その長さ方向の両端部における紙の重なり枚数が、中央部又は中央寄り部分における紙の重なり枚数の倍になり、両端部分の腰が強くその中央部又は中央寄り部分の腰が弱くなるので、その後の包装工程における取扱いが非常に円滑になる。
【００２８】
請求項１〜３の発明に係る能書きの作成方法によれば、帯状紙１ａを能書き一単位毎に切断する前にその両側に折り重ね片１０，１１を形成するので、帯状紙１ａの繰り出し部とカッタとの間に簡単な折り重ね装置４を設置するだけで、特に包装設備の改変を必要とせずに円滑かつ安価にこの発明に係る能書きを作成することができる。
また、幅の広い帯状紙１ａを使用して見かけ幅ｗ１の小さい折り畳み帯状紙１ｂを形成するので、能書き一単位の紙片の長さを一定以上増大させることなく紙面の拡大を図ることができ、したがって、短冊状に折り畳むときの折り畳みを円滑に行うことができる。
【図面の簡単な説明】
【図１】  本発明に係る第１実施形態の能書きを長さ方向にのみ展開した状態の斜視図である。
【図２】  能書きを図１の状態から折り畳んで短冊状とした状態の斜視図である。
【図３】  図２の能書きを薬品等が包装された瓶に被せた状態の斜視図である。
【図４】  第２実施形態の能書きの一部を展開した状態の部分斜視図である。
【図５】  第３実施形態の能書きの一部を展開した状態の部分斜視図である。
【図６】  本発明に係る能書きの作成方法の実施形態を説明するための装置の概略正面図である。
【図７】  図６の装置の部分拡大平面図である。
【符号の説明】
ｗ  紙片の幅
ｗ１  紙片の見かけ幅
ｗ２，ｗ３  各折り重ね片の幅
ｗ４  折り畳んだ能書きの幅
１  紙片
１ａ  帯状紙
１ｂ  折り重ね帯状紙１ｂ
１０，１１  折り重ね片
１２  谷折り状の折り目
１３  山折り状の折り目
２  瓶
３  リール
３０  テンションローラ
３１，３２，３３  ガイドローラ
４  折り重ね装置
４０  テンションガイド板
４１，４２  折り重ねガイド板
４３  プレスロール
４４  プレス受け台
【図１】
0004395963.tif 000002
【図２】
0004395963.tif 000003
【図３】
0004395963.tif 000004
【図４】
0004395963.tif 000005
【図５】
0004395963.tif 000006
【図６】
0004395963.tif 000007
【図７】
0004395963.tif 000008